(57)【要約】      （修正有）【課題】照明ユニット及びそれを用いたディスプレイ装置を提供する。【解決手段】第１及び第２のリフレクタ２００、３００と、第１のリフレクタ２００と第２のリフレクタ３００との間に配置された少なくとも一つの光源モジュール１００と、光源モジュール１００を支持するブラケット４００と、を備え、ブラケット４００は、第１及び第２のリフレクタ２００、３００の一側を連結するボディー部４１０と、ボディー部４１０の内側面から突出している第１の締結部材４２０と、ボディー部４１０の外側面から突出している第２の締結部材４３０と、を備えることができる。【選択図】図１
2013122920.tif 000002
【特許請求の範囲】
【請求項１】
第１及び第２のリフレクタと、
前記第１のリフレクタと第２のリフレクタとの間に配置された少なくとも一つの光源モジュールと、
前記光源モジュールを支持するブラケットと、
を備え、
前記ブラケットは、
前記第１及び第２のリフレクタの一側を連結するボディー部と、
前記ボディー部の内側面から突出している第１の締結部材と、
前記ボディー部の外側面から突出している第２の締結部材と、を備える、照明ユニット。
【請求項２】
前記ブラケットのボディー部は、前記第１のリフレクタに対して垂直な方向に配置される、請求項１に記載の照明ユニット。
【請求項３】
前記ブラケットのボディー部は、前記光源モジュールに接する第１のセグメントと、前記第２のリフレクタの一側に接する第２のセグメントと、を有する、請求項１に記載の照明ユニット。
【請求項４】
前記ボディー部の第１のセグメント及び第２のセグメントが互いにずれている、請求項３に記載の照明ユニット。
【請求項５】
前記ボディー部の第１のセグメントは第１の長さに形成され、前記ボディー部の第２のセグメントは第２の長さに形成され、前記第２の長さは前記第１の長さよりも大きい、請求項３に記載の照明ユニット。
【請求項６】
前記ボディー部の第１セグメントと第２のセグメントとを連結する連結部に前記第２の締結部材が配置される、請求項３に記載の照明ユニット。
【請求項７】
前記ボディー部の第２のセグメントに少なくとも一つの締結孔が配置される、請求項３に記載の照明ユニット。
【請求項８】
前記第１の締結部材は、前記ボディー部の内側面から垂直に前記第２のリフレクタの方向に突出している、請求項１に記載の照明ユニット。
【請求項９】
前記第１の締結部材は、所定の間隔を有する複数の突起を有し、前記複数の突起のうち、前記光源モジュールに隣接している突起の高さは、前記光源モジュールから遠い突起の高さよりも小さい、請求項１に記載の照明ユニット。
【請求項１０】
前記複数の突起のいずれか一つは、前記第２の締結部材と対応して配置される、請求項９に記載の照明ユニット。
【請求項１１】
前記互いに隣接している突起の間には少なくとも一つの締結孔が配置されている、請求項９に記載の照明ユニット。
【請求項１２】
前記第２の締結部材は、前記ボディー部の外側面から垂直に前記第２のリフレクタの反対方向に突出している、請求項１に記載の照明ユニット。
【請求項１３】
前記第２の締結部材には少なくとも一つの締結孔が形成されている、請求項１または１２に記載の照明ユニット。
【請求項１４】
前記第２の締結部材の一側面はカバー部材と接触し、前記カバー部材は前記第１のリフレクタから離れて前記第１のリフレクタをカバーする、請求項１に記載の照明ユニット。
【請求項１５】
前記カバー部材と前記第１のリフレクタとの間には光学部材が配置される、請求項１４に記載の照明ユニット。
【請求項１６】
前記カバー部材の長さは、前記第１のリフレクタと前記第２の締結部材とを合わせた長さよりも大きい、請求項１４に記載の照明ユニット。
【請求項１７】
前記第２の締結部材の長さは、前記第１のリフレクタの長さよりも大きい、請求項１に記載の照明ユニット。
【請求項１８】
前記ブラケットは、前記第１のリフレクタと同じ材質で形成される、請求項１に記載の照明ユニット。
【請求項１９】
前記第２のリフレクタは、互いに隣接している第１及び第２の傾斜面を有し、
前記第１の傾斜面は前記光源モジュールに隣接して上方に傾斜しており、前記第２の傾斜面は前記第１の傾斜面に隣接して下方に傾斜している、請求項１に記載の照明ユニット。
【請求項２０】
前記第１の傾斜面は、第１の曲率を有する曲面であり、前記第２の傾斜面は、第２の曲率を有する曲面であり、前記第１の曲率と第２の曲率とが互いに異なっている、請求項１９に記載の照明ユニット。
【請求項２１】
前記第１の傾斜面は、第１の勾配を有する平面であり、前記第２の傾斜面は、第２の勾配を有する平面であり、前記第１の勾配と第２の勾配とが互いに異なっている、請求項１９に記載の照明ユニット。
【請求項２２】
請求項１乃至２１のいずれか１項に記載の照明ユニットを用いるディスプレイ装置。
【発明の詳細な説明】
【技術分野】
【０００１】
実施例は、照明ユニット及びそれを用いたディスプレイ装置に関する。
【背景技術】
【０００２】
一般に、ダウンライト（Ｄｏｗｎｌｉｇｈｔ；天井埋め込み灯）は、天井に穴を開け、その中に光源を埋め込む照明方式のもので、照明と建物を一体化させる建築照明技法として広く用いられている。
【０００３】
このようなダウンライトは、天井に埋め込まれることから、照明器具が殆ど露出されず、天井面がすっきりになるメリットかあり、さらには、天井面が暗くなる特徴から、おしゃれな室内空間の演出に適した方式として知られている。
【０００４】
しかしながら、このような照明ユニット構造は、広い室内空間よりは狭い室内空間に適合しているため、多数のＬＥＤ光源を必要とする場合もある。
【０００５】
そこで、少ない数のＬＥＤ光源でも広い室内空間をカバーできる照明ユニットの開発が望まれている。
【発明の概要】
【発明が解決しようとする課題】
【０００６】
実施例は、一部の傾斜面を有するリフレクタを用いて広い室内空間に適合するようにした照明ユニット及びそれを用いたディスプレイ装置を提供する。
【課題を解決するための手段】
【０００７】
実施例は、第１及び第２のリフレクタと、第１のリフレクタと第２のリフレクタとの間に配置された少なくとも一つの光源モジュールと、光源モジュールを支持するブラケットと、を備え、該ブラケットは、第１及び第２のリフレクタの一側を連結するボディー部と、ボディー部の内側面から突出している第１の締結部材と、ボディー部の外側面から突出している第２の締結部材と、を備えることができる。
【０００８】
ここで、ブラケットのボディー部は、第１のリフレクタに対して垂直な方向に配置されてもよい。
【０００９】
そして、ブラケットのボディー部は、光源モジュールに接する第１のセグメントと、第２のリフレクタの一側に接する第２のセグメントと、を有することができる。
【００１０】
ここで、ボディー部の第１のセグメントと第２のセグメントとは互いにずれていてもよい。
【００１１】
また、ボディー部の第１のセグメントは第１の長さに形成され、ボディー部の第２のセグメントは第２の長さに形成され、第２の長さは第１の長さよりも大きいとよい。
【００１２】
ここで、第２の長さは第１の長さの１．１〜１０倍でよい。
【００１３】
また、ボディー部の第１のセグメントと第２のセグメントとの間には第２の締結部材が配置され、ボディー部の第２のセグメントには少なくとも一つの締結孔が配置されてもよい。
【００１４】
そして、第１の締結部材はボディー部の内側面から垂直に第２のリフレクタの方向に突出しているとよい。
【００１５】
また、第１の締結部材は所定の間隔を有する複数の突起を有し、複数の突起のうち、光源モジュールに隣接している突起の高さは、光源モジュールから遠い突起の高さよりも小さいとよい。
【００１６】
ここで、突起の最高の高さは突起の最低の高さの１．１〜１０倍でよい。
【００１７】
そして、複数の突起のいずれか一つは、第２の締結部材と対応して配置されてもよい。
【００１８】
また、互いに隣接している突起の間には少なくとも一つの締結孔が配置されてもよい。
【００１９】
また、第２の締結部材は、ボディー部の外側面から垂直に第２のリフレクタの反対方向に突出しているとよい。
【００２０】
そして、第２の締結部材には少なくとも一つの締結孔が形成されてもよい。
【００２１】
また、第２の締結部材の一側面はカバー部材と接触し、カバー部材は第１のリフレクタから離れて第１のリフレクタをカバーすることができる。
【００２２】
また、カバー部材と第１のリフレクタとの間には光学部材が配置されてもよい。
【００２３】
ここで、カバー部材の長さは、第１のリフレクタと第２の締結部材とを合わせた長さよりも大きく、第２の締結部材の長さは第１のリフレクタの長さよりも大きいとよい。
【００２４】
そして、ブラケットは第１のリフレクタと同じ材質で形成されてもよい。
【００２５】
また、第２のリフレクタは互いに隣接している第１及び第２の傾斜面を有し、第１の傾斜面は光源モジュールに隣接して上方に傾斜しており、第２の傾斜面は第１の傾斜面に隣接して下方に傾斜しているとよい。
【００２６】
ここで、第１の傾斜面は、第１の曲率を有する曲面であり、第２の傾斜面は、第２の曲率を有する曲面であり、第１の曲率と第２の曲率は互いに異なっていてもよい。
【００２７】
また、第１の傾斜面は、第１の勾配を有する平面であり、第２の傾斜面は、第２の勾配を有する平面であり、第１の勾配と第２の勾配は互いに異なっていてもよい。
【発明の効果】
【００２８】
実施例は、導光板を使用せず、一部の傾斜面を有するエアーガイド用のリフレクタ及びブラケットを形成することによって、軽量、低作製コスト、及び均一な輝度を提供することができる。したがって、照明ユニットの経済性及び信頼性が向上するとともに、広い室内空間に適したものとすることができる。
【図面の簡単な説明】
【００２９】
下記の図面を参照して実施例について詳細に説明する。ただし、図面中、同一の構成要素には同一の参照符号を付する。
【図１】実施例に係る照明ユニットを説明するための断面図である。
【図２】図１におけるブラケットを詳細に示す断面図である。
【図３Ａ】ブラケットのボディー部を示す断面図である。
【図３Ｂ】ブラケットのボディー部を示す断面図である。
【図４Ａ】ブラケットの第１の締結部材の高さを示す断面図である。
【図４Ｂ】ブラケットの第１の締結部材の高さを示す断面図である。
【図４Ｃ】ブラケットの第１の締結部材の高さを示す断面図である。
【図５Ａ】ブラケットの第１の締結部材の厚さを示す断面図である。
【図５Ｂ】ブラケットの第１の締結部材の厚さを示す断面図である。
【図５Ｃ】ブラケットの第１の締結部材の厚さを示す断面図である。
【図６Ａ】ブラケットの第２の締結部材の位置を示す断面図である。
【図６Ｂ】ブラケットの第２の締結部材の位置を示す断面図である。
【図６Ｃ】ブラケットの第２の締結部材の位置を示す断面図である。
【図７】カバー部材を示す断面図である。
【図８】第２のリフレクタの傾斜面を示す第１の実施例である。
【図９Ａ】光源モジュールと第１及び第２のリフレクタとの配置関係を説明するための図である。
【図９Ｂ】光源モジュールと第１及び第２のリフレクタとの配置関係を説明するための図である。
【図９Ｃ】光源モジュールと第１及び第２のリフレクタとの配置関係を説明するための図である。
【図１０Ａ】第２のリフレクタの第１の領域と第１のリフレクタの幅とを比較した図である。
【図１０Ｂ】第２のリフレクタの第１の領域と第１のリフレクタの幅とを比較した図である。
【図１１Ａ】第２のリフレクタの傾斜面を示す図である。
【図１１Ｂ】第２のリフレクタの傾斜面を示す図である。
【図１１Ｃ】第２のリフレクタの傾斜面を示す図である。
【図１１Ｄ】第２のリフレクタの傾斜面を示す図である。
【図１２】第２のリフレクタの傾斜面を示す第２の実施例である。
【図１３Ａ】図１２の第４の領域を示す図である。
【図１３Ｂ】図１２の第４の領域を示す図である。
【図１３Ｃ】図１２の第４の領域を示す図である。
【図１４Ａ】傾斜面を有する第１のリフレクタを示す図である。
【図１４Ｂ】傾斜面を有する第１のリフレクタを示す図である。
【図１４Ｃ】傾斜面を有する第１のリフレクタを示す図である。
【図１４Ｄ】傾斜面を有する第１のリフレクタを示す図である。
【図１５Ａ】反射パターンを有する第１のリフレクタを示す図である。
【図１５Ｂ】反射パターンを有する第１のリフレクタを示す図である。
【図１５Ｃ】反射パターンを有する第１のリフレクタを示す図である。
【図１５Ｄ】反射パターンを有する第１のリフレクタを示す図である。
【図１６】光学部材が配置された照明ユニットを示す断面図である。
【図１７】図１６の光学部材を示す断面図である。
【図１８】実施例に係る照明ユニットを有するディスプレイモジュールを示す図である。
【図１９】実施例に係るディスプレイ装置を示す図である。
【図２０】実施例に係るディスプレイ装置を示す図である。
【発明を実施するための形態】
【００３０】
以下、添付の図面を参照して実施例を説明する。
【００３１】
本実施例の説明において、ある構成要素（ｅｌｅｍｅｎｔ）の「上（上部）」または「下（下部）」（ｏｎ  ｏｒ  ｕｎｄｅｒ）に他の構成要素が形成されるという記載は、これらの両構成要素が互いに直接（ｄｉｒｅｃｔｌｙ）接触して形成される場合も、これら両構成要素の間に一つ以上のさらに他の構成要素が介在して（ｉｎｄｉｒｅｃｔｌｙ）形成される場合も含むことができる。
【００３２】
また、「上（上部）」または「下（下部）」（ｏｎ  ｏｒ  ｕｎｄｅｒ）と表現された場合は、一つの構成要素を基準に上方を指す場合もあり、下方を指す場合もある。
【００３３】
図１は、実施例に係る照明ユニットを説明するための断面図である。
【００３４】
図１に示すように、照明ユニットは、光源モジュール１００、第１のリフレクタ２００、第２のリフレクタ３００、ブラケット４００、カバー部材５００、光学部材６００を備えることができる。
【００３５】
ここで、ブラケット４００は、光源モジュール１００を支持する役割を果たすことができ、ボディー部４１０と、第１及び第２の締結部材４２０，４３０とを有することができる。
【００３６】
ブラケット４００のボディー部４１０は、第１及び第２のリフレクタ２００，３００の一側を連結しており、第１の締結部材４２０はボディー部４１０の内側面４１０ａから突出しており、第２の締結部材４３０は、ボディー部４１０の外側面４１０ｂから突出している。
【００３７】
また、ブラケット４００のボディー部４１０は、第１のリフレクタ２００に対し垂直な方向に配置され、光源モジュール１００に接する第１のセグメント、及び第２のリフレクタ３００の一側に接する第２のセグメントを有することができる。
【００３８】
なお、第１の締結部材４２０は、ボディー部４１０の内側面４１０ａから垂直に第２のリフレクタ３００の方向に突出しており、所定の間隔を有する複数の突起を有することができる。これらの複数の突起のうち、光源モジュール１００に隣接している突起の高さは、光源モジュール１００から遠い突起の高さより小さくてもよい。
【００３９】
ここで、突起の最高の高さは、突起の最低の高さの１．１〜１０倍でよい。
【００４０】
また、複数の突起のいずれか一つは、第２の締結部材４３０と対応して配置されてもよい。
【００４１】
そして、互いに隣接している突起の間には、少なくとも一つの第１の締結孔４１２が配置されてもよい。
【００４２】
ここで、第１の締結孔４１２にはボディー部４１０の外側から第１の締結ねじ４１４が挿入されることで、第２のリフレクタ３００とブラケット４００とが締結されうる。
【００４３】
また、第２の締結部材４３０は、ボディー部４１０の外側面４１０ｂから垂直に第２のリフレクタ３００の反対方向に突出している。
【００４４】
ここで、第２の締結部材４３０は、少なくとも一つの第２の締結孔４３２を有することができる。
【００４５】
この第２の締結孔４３２には、ボディー部４１０の外側から第２の締結ねじ４３４が挿入されることで、カバー部材５００とブラケット４００とが締結されうる。
【００４６】
また、第２の締結部材４３０の一側面はカバー部材５００に接しており、カバー部材５００は、第１のリフレクタ２００から離れて第１のリフレクタ２００をカバーすることができる。
【００４７】
また、カバー部材５００と第１のリフレクタ２００との間には光学部材６００を配置することができる。
【００４８】
ここで、カバー部材５００の長さは、第１のリフレクタ２００の長さと第２の締結部材４３０の長さとの和よりも大きくすることができ、第２の締結部材４３０の長さは、第１のリフレクタ２００の長さよりも大きくすることができる。
【００４９】
そして、ブラケット４００は、第１のリフレクタ２００と同じ材質で形成することができ、例えば、ブラケット４００及び第１のリフレクタ２００は両方も、金属または金属酸化物で形成することができる。
【００５０】
場合によって、ブラケット４００を第１のリフレクタ２００と異なる材質で形成してもよいが、例えば、ブラケット４００は金属または金属酸化物とし、第１のリフレクタ２００は、高分子樹脂フレーム上に金属または金属酸化物を蒸着またはコーティングしたものとしてもよい。
【００５１】
一方、第１のリフレクタ２００は、アルミニウム（Ａｌ）、銀（Ａｇ）、金（Ａｕ）、二酸化チタン（ＴｉＯ２）などのような高反射率を有する金属または金属酸化物を含んで構成することができる。
【００５２】
場合によって、第１のリフレクタ２００を、高分子樹脂フレーム上に反射フィルムまたは反射シートを接着して形成することもできる。
【００５３】
また、第１のリフレクタ２００を、高分子樹脂フレーム上に金属または金属酸化物を蒸着またはコーティングして形成してもよく、金属インキを印刷して形成してもよい。
【００５４】
また、第１のリフレクタ２００は、下部面の一部に鋸歯状の反射パターンが形成されてもよい。
【００５５】
ここで、反射パターンの表面は、平面または曲面でよい。
【００５６】
そして、光源モジュール１００は、第１のリフレクタ２００と第２のリフレクタ３００との間に配置され、第１のリフレクタ２００に隣接して配置されるとよい。
【００５７】
場合によって、光源モジュール１００は、第１のリフレクタ２００に接するとともに、第２のリフレクタ３００から一定の間隔を置いて配置されてもよく、第２のリフレクタ３００に接するとともに、第１のリフレクタ２００から一定の間隔を置いて配置されてもよい。
【００５８】
または、光源モジュール１００は、第１のリフレクタ２００及び第２のリフレクタ３００の両方から一定の間隔を置いて配置されてもよく、第１のリフレクタ２００及び第２のリフレクタ３００の両方に接して配置されてもよい。
【００５９】
そして、光源モジュール１００は、電極パターンを有する基板１００ｂ、及び基板１００ｂ上に配置された少なくとも一つの光源１００ａを有することができる。
【００６０】
ここで、光源モジュール１００の光源１００ａは、上面発光型（ｔｏｐ  ｖｉｅｗ  ｔｙｐｅ）の発光ダイオードでよい。
【００６１】
場合によって、光源１００ａは、側面発光型（ｓｉｄｅ  ｖｉｅｗ  ｔｙｐｅ）の発光ダイオードでもよい。
【００６２】
そして、基板１００ｂは、ポリエチレンテレフタレート（ＰＥＴ）、ガラス、ポリカーボネート（ＰＣ）、シリコン（Ｓｉ）から選ばれるいずれか一物質からなるＰＣＢ（Ｐｒｉｎｔｅｄ  Ｃｉｒｃｕｉｔ  Ｂｏａｒｄ）基板でもよく、フィルム形態のものでもよい。
【００６３】
また、基板１００ｂとしては、単層ＰＣＢ、多層ＰＣＢ、セラミック基板、メタルコアＰＣＢなどを選択的に使用することができる。
【００６４】
ここで、基板１００ｂは、反射コーティングフィルム及び反射コーティング物質層のいずれか一つが形成されてもよく、光源１００ａから生成された光をリフレクタ３００の中央領域に反射させることができる。
【００６５】
また、光源１００ａは、発光ダイオードチップ（ＬＥＤ  ｃｈｉｐ）でよく、発光ダイオードチップは、ブルーＬＥＤチップまたは紫外線ＬＥＤチップで構成されてもよく、またはレッドＬＥＤチップ、グリーンＬＥＤチップ、ブルーＬＥＤチップ、イエローグリーン（Ｙｅｌｌｏｗ  ｇｒｅｅｎ）ＬＥＤチップ、ホワイトＬＥＤチップの少なくとも一つまたは２以上を組み合わせたパッケージ形態で構成されてもよい。
【００６６】
そして、ホワイトＬＥＤは、ブルーＬＥＤ上にイエロー燐光（Ｙｅｌｌｏｗ  ｐｈｏｓｐｈｏｒ）を結合して具現してもよく、ブルーＬＥＤ上にレッド燐光（Ｒｅｄ  ｐｈｏｓｐｈｏｒ）とグリーン燐光（Ｇｒｅｅｎ  ｐｈｏｓｐｈｏｒ）を同時に結合して具現してもよく、ブルーＬＥＤ上にイエロー燐光（Ｙｅｌｌｏｗ  ｐｈｏｓｐｈｏｒ）、レッド燐光（Ｒｅｄ  ｐｈｏｓｐｈｏｒ）及びグリーン燐光（Ｇｒｅｅｎ  ｐｈｏｓｐｈｏｒ）を同時に結合して具現してもよい。
【００６７】
また、第２のリフレクタ３００は、一部に傾斜面（ｉｎｃｌｉｎｅｄ  ｐｌａｎｅ）を有することができ、アルミニウム（Ａｌ）、銀（Ａｇ）、金（Ａｕ）、二酸化チタン（ＴｉＯ２）などのような高反射率を有する金属または金属酸化物を含むことができる。
【００６８】
そして、第２のリフレクタ３００の傾斜面は、光源モジュール１００及び第１のリフレクタ２００の少なくとも一方と整列することができる。
【００６９】
ここで、第２のリフレクタ３００の傾斜面は、第１のリフレクタ２００の表面に対して一定の角度で傾斜した面でよく、凹面（ｃｏｎｃａｖｅ  ｓｕｒｆａｃｅ）、凸面（ｃｏｎｖｅｘ  ｓｕｒｆａｃｅ）、平面（ｆｌａｔ  ｓｕｒｆａｃｅ）の少なくとも一つでよい。
【００７０】
場合によって、第２のリフレクタ３００は、少なくとも一つの傾斜面及び少なくとも一つの平面を含むこともでき、第２のリフレクタ３００の平面は、第１のリフレクタ２００の平面と平行な面でよい。
【００７１】
ここで、第２のリフレクタ３００の平面は、光源モジュール１００及び第１のリフレクタ２００の少なくとも一方と整列してもよい。
【００７２】
また、第２のリフレクタ３００は、少なくとも一つの変曲点を有する少なくとも２個の傾斜面を有し、変曲点を中心に隣接する第１、第２の傾斜面の曲率は互いに異なっていてもよい。
【００７３】
例えば、図１に示すように、第２のリフレクタ３００の上部面は、第１のリフレクタ２００と向かい合っており、平面と傾斜面を有することができる。
【００７４】
ここで、平面は、光源モジュール１００に隣接しており、第１のリフレクタ２００と平行でよい。
【００７５】
そして、傾斜面は、平面の端部から第２のリフレクタ３００の下部面の方向に傾斜するように延びている。
【００７６】
また、第２のリフレクタ３００から一定の空間を置いて光学部材６００を配置することができる。
【００７７】
そして、第２のリフレクタ３００と光学部材６００との間の空間にはエアーガイドを形成することができる。
【００７８】
場合によって、光学部材６００は、少なくとも一つのシートからなり、拡散シート、プリズムシート、輝度強化シートなどを選択的に含むことができる。
【００７９】
ここで、拡散シートは、光源から発された光を拡散させ、プリズムシートは、拡散された光を発光領域にガイドし、輝度強化シートは輝度を強化させる。
【００８０】
図２は、図１のブラケットを詳細に示す断面図である。
【００８１】
図２に示すように、ブラケット４００は、ボディー部４１０、第１の締結部材４２０、及び第２の締結部材４３０を備えることができる。
【００８２】
ここで、ブラケット４００のボディー部４１０は、第１のリフレクタ２００の一側を連結しており、第１のリフレクタ２００に対して垂直な方向に配置されている。
【００８３】
そして、ブラケット４００のボディー部４１０は、光源モジュール１００に接する第１のセグメント４１１ａ、第２のリフレクタの一側に接する第２のセグメント４１１ｂ、及び第１のセグメント４１１ａと第２のセグメント４１１ｂとを連結する連結部４１１ｃを有することができる。
【００８４】
ここで、ボディー部４１０は、第１のセグメント４１１ａと第２のセグメント４１１ｂとを互いにずれるように配置することができる。
【００８５】
これは、ブラケット４００を第２のリフレクタに密着させて締結を容易にするためである。
【００８６】
そして、ボディー部４１０の第１のセグメント４１１ａは第１の長さに形成し、ボディー部４１０の第２のセグメント４１１ｂは第２の長さに形成することができ、第２の長さは第１の長さよりも大きければよい。
【００８７】
また、第１の締結部材４２０は、ボディー部４１０の内側面４１０ａから突出している。
【００８８】
すなわち、第１の締結部材４２０は、ボディー部４１０の内側面４１０ａから垂直に第２のリフレクタ方向に突出している。
【００８９】
ここで、第１の締結部材４２０は、所定の間隔を有する複数の突起を有することができ、これら複数の突起のうち、光源モジュール１００に隣接している突起の高さは、光源モジュール１００から遠い突起の高さよりも小さいとよい。
【００９０】
例えば、第１の締結部材４２０が第１、第２、第３の突起４２０ａ，４２０ｂ，４２０ｃを有するとすれば、光源モジュール１００に隣接している第１の突起４２０ａの高さを、光源モジュール１００から遠い第３の突起４２０ｃの高さよりも小さくすることができる。
【００９１】
ここで、複数の突起のいずれか一つを、第２の締結部材４３０と対応して配置することができ、例えば、第１、第２、第３の突起４２０ａ，４２０ｂ，４２０ｃのうち、第１の突起４２０ａを、第２の締結部材４３０と対応して配置することができる。
【００９２】
そして、互いに隣接している突起の間には少なくとも一つの締結孔を配置することができ、例えば、互いに隣接している第２及び第３の突起４２０ｂ，４２０ｃの間には第１の締結孔４１２を配置することができる。
【００９３】
すなわち、ボディー部４１０の第２のセグメント４１１ｂに少なくとも一つの第１の締結孔４１２を配置することができる。
【００９４】
また、第２の締結部材４３０は、ボディー部４１０の外側面４１０ｂから突出している。
【００９５】
第２の締結部材４３０は、ボディー部４１０の第１及び第２のセグメント４１１ａ，４１１ｂ間の連結部４１１ｃに配置されている。
【００９６】
場合によって、第２の締結部材４３０は、ボディー部４１０の第１のセグメント４１１ａ、または第２のセグメント４１１ｂに配置されてもよい。
【００９７】
このように、第２の締結部材４３０は、ボディー部４１０の外側面４１０ｂから垂直に第２のリフレクタの反対方向に突出しており、少なくとも一つの第２の締結孔４３２を有することができる。
【００９８】
図３Ａ及び図３Ｂは、ブラケットのボディー部を示す断面図である。
【００９９】
図３Ａ及び図３Ｂに示すように、ブラケット４００は、ボディー部４１０、第１の締結部材４２０、及び第２の締結部材４３０を備えることができる。
【０１００】
ここで、ブラケット４００のボディー部４１０は、光源モジュール１００に接する第１のセグメント４１１ａ、第２のリフレクタ３００の一側に接する第２のセグメント４１１ｂ、及び第１のセグメント４１１ａと第２のセグメント４１１ｂとを連結する連結部４１１ｃを有することができる。
【０１０１】
図３Ａに示すように、ボディー部４１０は、第１のセグメント４１１ａと第２のセグメント４１１ｂとをずらして配置することができる。
【０１０２】
これは、ブラケット４００を第２のリフレクタに密着させて締結を容易にするためである。
【０１０３】
そして、ボディー部４１０の第１のセグメント４１１ａは第１の長さＬ１に形成し、ボディー部４１０の第２のセグメント４１１ｂは第２の長さＬ２に形成することができ、第２の長さＬ２を第１の長さＬ１よりも長くすることができる。
【０１０４】
ここで、第２の長さＬ２は第１の長さＬ１の約１．１〜１０倍でよい。
【０１０５】
これは、第１のセグメント４１１ａの第１の長さＬ１が第２のセグメント４１１ｂの第２の長さＬ２よりも長いと、全体的な照明ユニットの厚さが大きすぎになり、輝度が低下することがあり、よって、照明ユニットの厚さを適切に調節するためである。
【０１０６】
場合によって、図３Ｂに示すように、ボディー部４１０は、第１のセグメント４１１ａと第２のセグメント４１１ｂとを同一線上に配置してもよい。
【０１０７】
照明ユニットの全体的な形状に応じて、ボディー部４１０の第１のセグメント４１１ａ及び第２のセグメント４１１ｂを、互いにずれるように作製してもよく、互いに対応するように作製してもよい。
【０１０８】
図４Ａ乃至図４Ｃは、ブラケットの第１の締結部材の高さを示す断面図である。
【０１０９】
図４Ａ乃至図４Ｃに示すように、第１の締結部材４２０は、ボディー部４１０の内側面から垂直に第２のリフレクタの方向に突出している。
【０１１０】
ここで、第１の締結部材４２０は、所定の間隔を有する複数の突起を有することができ、複数の突起のうち、光源モジュール１００に隣接している突起の高さは、光源モジュール１００から遠い突起の高さよりも小さければよい。
【０１１１】
例えば、第１の締結部材４２０は、第１、第２、第３の突起４２０ａ，４２０ｂ，４２０ｃを有することができ、第１の突起４２０ａは第１の高さ（ｈ１）で突出し、第２の突起４２０ｂは第２の高さｈ２で突出し、第３の突起４２０ｃは第３の高さｈ３で突出できる。
【０１１２】
ここで、第１の突起４２０ａは、光源モジュール１００に隣接して位置し、第３の突起４２０ｃは光源モジュール１００から遠くに位置するとする。
【０１１３】
図４Ａに示すように、光源モジュール１００に隣接している第１の突起４２０ａの高さｈ１は、光源モジュール１００から遠い第３の突起４２０ｃの高さｈ３よりも小さくし、かつ第１の突起４２０ａと第３の突起４２０ｃとの間に位置している第２の突起４２０ｂの高さｈ２よりも小さくすることができる。
【０１１４】
ここで、第３の突起４２０ｃの高さは、第１の突起４２０ａの高さｈ１の約１．１〜１０倍でよい。
【０１１５】
すなわち、第１の締結部材４２０において、突起の最高の高さは突起の最低の高さの約１．１〜１０倍でよい。
【０１１６】
このように、第３の突起４２０ｃの高さｈ３を第１の突起４２０ａの高さｈ１よりも大きくすると、ブラケット２００を第２のリフレクタに安定して締結することができる。
【０１１７】
場合によって、図４Ｂに示すように、光源モジュール１００に隣接している第１の突起４２０ａの高さｈ１は、光源モジュール１００から遠い第３の突起４２０ｃの高さｈ３よりも小さく、かつ第１の突起４２０ａと第３の突起４２０ｃとの間に位置している第２の突起４２０ｂの高さ（ｈ２）と同一であってもよい。
【０１１８】
また、図４Ｃに示すように、光源モジュール１００に隣接している第１の突起４２０ａの高さ（ｈ１）、光源モジュール１００から遠い第３の突起４２０ｃの高さｈ３、及び第１の突起４２０ａと第３の突起４２０ｃとの間に位置している第２の突起４２０ｂの高さｈ２はいずれも同一でもよい。
【０１１９】
図５Ａ乃至図５Ｃは、ブラケットの第１の締結部材の厚さを示す断面図である。
【０１２０】
図５Ａ乃至図５Ｃに示すように、第１の締結部材４２０はボディー部４１０の内側面から垂直に第２のリフレクタ方向に突出している。
【０１２１】
ここで、第１の締結部材４２０は、所定の間隔を有する複数の突起を有することができ、複数の突起のうち、光源モジュール１００に隣接している突起の厚さは、光源モジュール１００から遠い突起の厚さよりも大きければよい。
【０１２２】
例えば、第１の締結部材４２０は、第１、第２、第３の突起４２０ａ，４２０ｂ，４２０ｃを有することができ、第１の突起４２０ａは第１の厚さｔ１で突出し、第２の突起４２０ｂは第２の厚さｔ２で突出し、第３の突起４２０ｃは第３の厚さｔ３で突出できる。
【０１２３】
ここで、第１の突起４２０ａは光源モジュール１００に隣接して位置しており、第３の突起４２０ｃは光源モジュール１００から遠くに位置しているとする。
【０１２４】
図５Ａに示すように、光源モジュール１００に隣接している第１の突起４２０ａの厚さｔ１は、光源モジュール１００から遠い第３の突起４２０ｃの厚さｔ３よりも大きくし、かつ第１の突起４２０ａと第３の突起４２０ｃとの間に位置している第２の突起４２０ｂの厚さｔ２よりも大きくすることができる。。
【０１２５】
そして、第３の突起４２０ｃの厚さｔ３と第２の突起４２０ｂの厚さｔ２は互いに同一でよい。
【０１２６】
このように、第１の突起４２０ａの厚さｔ１を第３の突起４２０ｃの厚さｔ３よりも大きくすると、第１の突起４２０ａが第２のリフレクタの端部を安定して支持することができる。
【０１２７】
場合によって、図５Ｂに示すように、光源モジュール１００に隣接している第１の突起４２０ａの厚さｔ１は、光源モジュール１００から遠い第３の突起４２０ｃの厚さｔ３よりも大きく、かつ第１の突起４２０ａと第３の突起４２０ｃとの間に位置している第２の突起４２０ｂの厚さｔ２よりも大きくてもよい。
【０１２８】
そして、第３の突起４２０ｃの厚さｔ３は第２の突起４２０ｂの厚さｔ２より小さくてもよい。
【０１２９】
また、図５Ｃに示すように、光源モジュール１００に隣接している第１の突起４２０ａの厚さｔ１は、光源モジュール１００から遠い第３の突起４２０ｃの厚さｔ３、及び第１の突起４２０ａと第３の突起４２０ｃとの間に位置している第２の突起４２０ｂの厚さｔ２の両方と同一であってもよい。
【０１３０】
図６Ａ乃至図６Ｃは、ブラケットの第２の締結部材の位置を示す断面図である。
【０１３１】
図６Ａ乃至図６Ｃに示すように、第１の締結部材４２０は、ボディー部４１０の内側面から垂直に第２のリフレクタの方向に突出している。
【０１３２】
ここで、第１の締結部材４２０は、第１、第２、第３の突起４２０ａ，４２０ｂ，４２０ｃを有することができ、第１の突起４２０ａは、光源モジュール１００に隣接して位置し、第３の突起４２０ｃは光源モジュール１００から遠くに位置しているとする。
【０１３３】
そして、第２の締結部材４３０は、ボディー部４１０の外側面から垂直に第２のリフレクタの反対方向に突出している。
【０１３４】
ここで、第２の締結部材４３０は、図６Ａに示すように、第１の締結部材４２０の第１の突起４２０ａに対応して配置されている。
【０１３５】
場合によっては、図６Ｂに示すように、第２の締結部材４３０は第１の締結部材４２０の第２の突起４２０ｂに対応して配置されてもよい。
【０１３６】
このように第２の締結部材４３０を配置することによって、カバー部材と安定して締結することができる。
【０１３７】
また、図６Ｃに示すように、第２の締結部材４３０は光源モジュール１００に対応して配置されてもよい。
【０１３８】
こうすると、光源モジュール１００から発生する熱を円滑に放出することができる。
【０１３９】
すなわち、第２の締結部材４３０が放熱部材の役割も果たすことができる。
【０１４０】
図７は、カバー部材を示す断面図である。
【０１４１】
図７に示すように、カバー部材５００は、ブラケットの第２の締結部材４３０の一側面に接している。
【０１４２】
ここで、第２の締結部材４３０には少なくとも一つの締結孔を形成することができ、締結孔に締結ねじを挿入することで、カバー部材５００とブラケットの第２の締結部材４３０とを締結させることができる。
【０１４３】
また、カバー部材５００は第１のリフレクタ２００から離れて第１のリフレクタ２００をカバーすることができる。
【０１４４】
また、カバー部材５００と第１のリフレクタ２００との間には光学部材６００が配置されてもよい。
【０１４５】
ここで、カバー部材５００の長さＬ３は、第１のリフレクタ２００の長さＬ４と第２の締結部材４３０の長さＬ５とを合わせた長さよりも大きくすることができる。
【０１４６】
そして、第２の締結部材４３０の長さＬ５は、第１のリフレクタ２００の長さＬ４よりも大きくすることができる。
【０１４７】
こうすると、ブラケットの第２の締結部材４３０とカバー部材５００とを安定して締結させることができる。
【０１４８】
図８は、第２のリフレクタの傾斜面を示す第１の実施例である。
【０１４９】
図８に示すように、第１のリフレクタ２００と第２のリフレクタ３００との間には光源モジュール１００が配置されており、第２のリフレクタ３００は少なくとも一つの傾斜面及び少なくとも一つの平面を有することができる。ここで、第２のリフレクタ３００の平面は、光源モジュール１００に隣接して配置され、且つ第１のリフレクタ２００と平行な面でよい。
【０１５０】
そして、第２のリフレクタ３００の傾斜面は少なくとも一つの変曲点を有し、変曲点を中心に隣接する傾斜面の曲率は、互いに異なっていてもよい。
【０１５１】
例えば、第２のリフレクタ３００は、第１、第２、第３の領域を有することができる。
【０１５２】
ここで、第１の領域は、光源モジュール１００及び第１のリフレクタ２００と整列（ａｌｉｇｎ）しており、第１のリフレクタ２００と平行な平面でよい。
【０１５３】
そして、第２の領域は、第１の領域と第３の領域との間に位置しており、且つ第１の領域から下方に傾斜している第１の傾斜面でよく、第３の領域は、第２の領域に隣接しており、且つ第２の領域から上方に傾斜している第２の傾斜面でよい。
【０１５４】
ここで、第２の領域の第１の傾斜面と第３の領域の第２の傾斜面とは、変曲点Ｐを中心に隣接している。
【０１５５】
この場合、第２の領域の第１の傾斜面は、第１の曲率Ｒ１を有する曲面でよく、第３の領域の第２の傾斜面は、第２の曲率Ｒ２を有する曲面でよい。
【０１５６】
そして、第１の曲率Ｒ１及び第２の曲率Ｒ２は互いに異なっていてもよく、第１の曲率Ｒ１が第２の曲率Ｒ２よりも大きいとよい。
【０１５７】
場合によって、第１の曲率Ｒ１及び第２の曲率Ｒ２は互いに同一であってもよい。
【０１５８】
また、第２の領域の第１の傾斜面及び第３の領域の第２の傾斜面の少なくとも一方は、凹んだ曲面または膨らんだ曲面であってもよい。
【０１５９】
場合によって、第２の領域の第１の傾斜面は、第１の勾配を有する平面で、第３の領域の第２の傾斜面は、第２の勾配を有する平面であってもよい。
【０１６０】
この場合、第１、第２の勾配は互いに異なっていてもよく、第１の勾配が第２の勾配よりも大きいとよい。
【０１６１】
なお、第２のリフレクタ３００の第１の領域は、光を正反射する正反射シートが形成され、第２のリフレクタ３００の第２の領域及び第３の領域は、光を正反射する正反射シート、及び光を乱反射する乱反射シートの少なくとも一つが形成されてもよい。
【０１６２】
このように第２のリフレクタ３００の第１の領域に正反射シートを形成すると、輝度の弱い第２のリフレクタ３００の中央領域へ光を多く反射させ、均一な輝度を提供することができる。
【０１６３】
そして、第２のリフレクタ３００の第１の領域は、第１のリフレクタ２００と平行な平面であるから、光源モジュールで生成された光を、輝度の弱い第２のリフレクタ３００の中央領域へ多く集中させ、照明ユニットの中央領域における輝度を増大させることができる。
【０１６４】
また、第２のリフレクタ３００は、アルミニウム（Ａｌ）、銀（Ａｇ）、金（Ａｕ）、二酸化チタン（ＴｉＯ２）のような高反射率を有する金属または金属酸化物を含むことができるが、第２のリフレクタ３００は、第１、第２、第３の領域に形成された物質が互いに異なっていてもよく、第１、第２、第３の領域の表面粗さが互いに異なっていてもよい。
【０１６５】
例えば、第２のリフレクタ３００は、第１、第２、第３の領域が互いに同一の物質で形成され、且つ表面粗さは互いに異なっていてもよい。
【０１６６】
または、第２のリフレクタ３００は、第１、第２、第３の領域が互いに異なる物質で形成され、且つ表面粗さが互いに異なっていてもよい。
【０１６７】
図９Ａ乃至図９Ｃは、光源モジュールと第１及び第２のリフレクタとの配置関係を説明するための図である。
【０１６８】
図９Ａは、第１のリフレクタ２００及び第２のリフレクタ３００の両方から一定の間隔を置いて配置された光源モジュール１００を示す図であり、図９Ｂは、第１のリフレクタ２００に接するとともに、第２のリフレクタ３００から一定の間隔を置いて配置された光源モジュール１００を示す図であり、図９Ｃは、第１のリフレクタ２００及び第２のリフレクタ３００の両方に接して配置された光源モジュール１００を示す図である。
【０１６９】
図９Ａに示すように、光源モジュール１００は、第１のリフレクタ２００から第１の距離ｄ１だけ離れ、第２のリフレクタ３００から第２の距離ｄ２だけ離れて配置されている。
【０１７０】
ここで、第１の距離ｄ１と第２の距離ｄ２は互いに同一であってもよく、互いに異なってもよい。
【０１７１】
一例として、第１の距離ｄ１は第２の距離ｄ２よりも小さいとよい。
【０１７２】
これは、第１の距離ｄ１が第２の距離ｄ２よりも大きいと、ホットスポット（ｈｏｔｓｐｏｔ）現象が生じることがあるからである。
【０１７３】
また、図９Ｂに示すように、光源モジュール１００は、第１のリフレクタ２００に接して配置され、第２のリフレクタ３００から距離ｄだけ離れて配置されてもよい。
【０１７４】
このように光源モジュール１００が第１のリフレクタ２００に接して配置されると、ホットスポットを防止し、光源モジュール１００から遠い領域へ光を送ることができる。
【０１７５】
また、図９Ｃに示すように、光源モジュール１００が第１のリフレクタ２００及び第２のリフレクタ３００の両方に接して配置されてもよい。
【０１７６】
このように光源モジュール１００が第１及び第２のリフレクタ２００，３００に接して配置されると、ホットスポットを防止し、光源モジュール１００から遠い領域へ光を送る他、照明ユニットの全体厚さも減らすことができる。
【０１７７】
図１０Ａ及び図１０Ｂは、第２のリフレクタの第１の領域の幅と第１のリフレクタの幅とを比較した図である。
【０１７８】
図１０Ａに示すように、第２のリフレクタ３００の第１の領域は第１のリフレクタ２００と重なり合っており、かつ第２のリフレクタ３００における第１の領域の幅Ｗ２は、第１のリフレクタ２００の幅Ｗ１より小さくてもよい。
【０１７９】
そうすると、第２のリフレクタ３００の第１の領域から反射された光が第１のリフレクタ２００に再び反射されて、輝度の弱い第２のリフレクタ３００の中央領域に集中することができる。
【０１８０】
また、図１０Ｂに示すように、第２のリフレクタ３００の第１の領域は第１のリフレクタ２００と重なり合っており、第２のリフレクタ３００における第１の領域の幅は、第１のリフレクタ２００の幅Ｗ１と同一であってもよい。
【０１８１】
図１１Ａ乃至図１１Ｄは、第２のリフレクタの傾斜面を示す図である。
【０１８２】
図１１Ａに示すように、第２のリフレクタ３００は、第１、第２、第３の領域を有することができ、第１の領域は、光源モジュール１００及び第１のリフレクタ２００と整列（ａｌｉｇｎ）しており、第１のリフレクタ２００と平行な平面であればよい。
【０１８３】
そして、第２の領域は、第１の領域と第３の領域との間に位置しており、第１の領域から下方に傾斜した第１の傾斜面でよく、第３の領域は第２の領域に隣接しており、第２の領域から上方に傾斜した第２の傾斜面でよい。
【０１８４】
ここで、第１の傾斜面は第１の曲率を有する曲面で、第２の傾斜面は第２の曲率を有する曲面でよく、第１、第２の曲率は互いに異なっていてもよい。
【０１８５】
場合によって、第１、第２の傾斜面の少なくとも一方は、凹んだ曲面または膨らんだ曲面であってもよい。
【０１８６】
また、図１１Ｂに示すように、第２のリフレクタ３００は、第１、第２、第３の領域を有することができ、第１の領域は、光源モジュール１００及び第１のリフレクタ２００と整列しており、第１のリフレクタ２００と平行な平面であればよい。
【０１８７】
そして、第２の領域は、第１の領域と第３の領域との間に位置しており、第１の領域から下方に傾斜した第１の傾斜面であり、第３の領域は、第２の領域に隣接しており、第２の領域から上方に傾斜した第２の傾斜面であってもよい。
【０１８８】
ここで、第１の傾斜面は第１の勾配を有する平面であり、第２の傾斜面は第２の勾配を有する平面でよく、第１、第２の勾配は互いに異なっていてもよい。
【０１８９】
また、図１１Ｃに示すように、第２のリフレクタ３００は、第１、第２、第３の領域を有することができ、第１の領域は光源モジュール１００及び第１のリフレクタ２００と整列しており、第１のリフレクタ２００と平行な平面であってもよい。
【０１９０】
そして、第２の領域は、第１の領域と第３の領域との間に位置しており、第１の領域から下方に傾斜した第１の傾斜面であり、第３の領域は第２の領域に隣接しており、第２の領域から上方に傾斜した第２の傾斜面であってもよい。
【０１９１】
ここで、第１の傾斜面は所定の曲率を有する曲面であり、第２の傾斜面は所定の勾配を有する平面であってもよい。
【０１９２】
また、図１１Ｄに示すように、第２のリフレクタ３００は第１、第２、第３の領域を有することができ、第１の領域は、光源モジュール１００及び第１のリフレクタ２００と整列しており、第１のリフレクタ２００と平行な平面であればよい。
【０１９３】
そして、第２の領域は、第１の領域と第３の領域との間に位置しており、第１の領域から下方に傾斜した第１の傾斜面であり、第３の領域は、第２の領域に隣接しており、第２の領域から上方に傾斜した第２の傾斜面であってもよい。
【０１９４】
ここで、第１の傾斜面は、所定の勾配を有する平面であり、第２の傾斜面は所定の曲率を有する曲面でもよい。
【０１９５】
図１２は、第２のリフレクタの傾斜面を示す第２の実施例である。
【０１９６】
図１２は、図８と類似の構造を有するが、第２のリフレクタ３００の第３の領域に隣接した第４の領域が追加される点で異なる。
【０１９７】
図１２に示すように、第２のリフレクタ３００は、第３の領域に隣接する中央領域に第４の領域が形成されている。
【０１９８】
ここで、第４の領域は、第１のリフレクタ１００と平行な平面でもよく、第３の曲率を有する曲面でもよい。
【０１９９】
第２のリフレクタ３００の中央領域に位置している第４の領域が鋭い形状を有すると、光が集中してホットスポット（ｈｏｔ  ｓｐｏｔ）現象が現れることがあるため、第４の領域を緩やかな形状にすることによって、均一な輝度を提供することができる。
【０２００】
図１３Ａ乃至図１３Ｃは、図１２における第４の領域を示す図である。
【０２０１】
図１３Ａに示すように、第２のリフレクタ３００の第４の領域は、第１のリフレクタと平行な平面でもよい。
【０２０２】
そして、図１３Ｂに示すように、第２のリフレクタ３００の第４の領域は、第３の曲率Ｒ３を有する凹んだ曲面でもよく、図１３Ｃに示すように、第２のリフレクタ３００の第４の領域は、第３の曲率Ｒ３を有する膨らんだ曲面でもよい。
【０２０３】
このように第４の領域を突出領域のない緩やかな形状にすると、ホットスポット現象を減らし、均一な輝度を提供することができる。
【０２０４】
このように配置される光源モジュール１００と第１、第２のリフレクタ２００，３００をカバーフレームで支持することができる。
【０２０５】
図１４Ａ乃至図１４Ｄは、傾斜面を有する第１のリフレクタを示す図である。図１４Ａは、傾斜面が平面である場合であり、図１４Ｂ、図１４Ｃ及び図１４Ｄは、傾斜面が曲面である場合である。
【０２０６】
図１４Ａ乃至図１４Ｄに示すように、第２のリフレクタ３００に面する第１のリフレクタ２００の一側の表面は、第１のリフレクタ２００の他側の表面に対して一定の角度で傾斜している傾斜面とすることができる。
【０２０７】
ここで、傾斜面の傾斜角度θは、第１のリフレクタ２００の他側の表面に平行な水平面に対して１〜８５°角度とすることができる。
【０２０８】
そのため、第１のリフレクタ２００の厚さは、光源モジュール１００から遠ざかるにつれて順次減少することもあり、順次増加することもある。
【０２０９】
すなわち、第１のリフレクタ２００は、光源モジュール１００に近接している領域の厚さｔ１と光源モジュール１００から遠い領域の厚さｔ２とが異なっていてもよい。例えば、図１４Ａ及び図１４Ｂに示すように、光源モジュール１００に近接している領域の厚さｔ１を、光源モジュール１００から遠い領域の厚さｔ２よりも大きくすることができる。
【０２１０】
場合によっては、図１４Ｃ及び図１４Ｄに示すように、光源モジュール１００に近接している領域の厚さｔ１を、光源モジュール１００から遠い領域の厚さｔ２よりも小さくしてもよい。
【０２１１】
また、図１４Ｄに示すように、第１のリフレクタ２００が傾斜面及び平面の両方を有するようにしてもよい。
【０２１２】
すなわち、第１のリフレクタ２００において、光源モジュール１００に近接している領域は傾斜面を有し、光源モジュール１００から遠い領域は平面を有する構造にすることができる。
【０２１３】
ここで、傾斜面の長さＬ１と平面の長さＬ２とは同一であってもよく、場合によって異なってもよい。
【０２１４】
なお、第１のリフレクタ２００の表面には所定の反射パターンが形成されてもよい。
【０２１５】
図１５Ａ乃至図１５Ｄは、反射パターンを有する第１のリフレクタを示す図である。
【０２１６】
図１５Ａは、反射パターン２２０が鋸歯状に形成され、且つ反射パターン２２０の表面は平面である例を示し、図１５Ｂ及び図１５Ｃは、反射パターン２２０が鋸歯状に形成され、且つ反射パターン２２０の表面は曲面である例を示している。
【０２１７】
図１５Ｂでは、反射パターン２２０の表面が凹んだ曲面となっており、図１５Ｃでは反射パターン２２０の表面が膨らんだ曲面となっている。
【０２１８】
場合によって、図１５Ｄに示すように、反射パターン２２０の大きさが、第１のリフレクタ２００の基端からオープン領域へと順次大きくなってもよい。
【０２１９】
このように第１のリフレクタ２００上に反射パターン２２０を形成すると、光の反射率を高める他、光を均一に拡散させる効果も得ることができる。
【０２２０】
したがって、このような反射パターン２２０は、照明の全体の輝度分布に応じて、該当の領域に様々な大きさで形成すればよい。
【０２２１】
図１６は、光学部材が配置された照明ユニットを示す断面図であり、図１７は、図１６の光学部材を示す断面図である。
【０２２２】
図１６に示すように、第２のリフレクタ３００から一定の空間を置いて光学部材６００を配置することができる。
【０２２３】
そして、第２のリフレクタ３００と光学部材６００との間の空間にはエアーガイドを形成することができる。
【０２２４】
ここで、光学部材６００は、図１７に示すように、上面に凹凸パターン６２０を有することができる。
【０２２５】
光学部材６００は、光源モジュール１００から発する光を拡散させる役割を担うもので、拡散効果を増大させるために上面に凹凸パターン６２０を有することができる。
【０２２６】
すなわち、光学部材６００は、複数の層で形成され、凹凸パターン６２０を最上層またはいずれか一層の表面に有することができる。
【０２２７】
なお、凹凸パターン６２０は、光源モジュール１００に並んで配置されるストライプ（ｓｔｒｉｐ）状にすることができる。
【０２２８】
ここで、凹凸パターン６２０は光学部材６００の表面に突出部を有し、突出部は、向かい合う第１の面と第２の面とで構成され、第１の面と第２の面間の角は、鈍角または鋭角でよい。
【０２２９】
場合によって、光学部材６００は少なくとも一つのシートで構成してもよく、拡散シート、プリズムシート、輝度強化シートなどを選択的に含むことができる。
【０２３０】
ここで、拡散シートは、光源から発された光を拡散させ、プリズムシートは、拡散された光を発光領域にガイドし、輝度強化シートは輝度を強化させる。
【０２３１】
また、第２のリフレクタ３００は、金属または金属酸化物の少なくとも一つを含んで構成され、例えば、アルミニウム（Ａｌ）、銀（Ａｇ）、金（Ａｕ）または二酸化チタン（ＴｉＯ２）のような高反射率を有する金属または金属酸化物を含むことができる。
【０２３２】
また、第２のリフレクタ３００は、反射コーティングフィルム及び反射コーティング物質層のいずれか一つで形成されてもよく、光源モジュール１００から生成された光を、光学部材６００の方向に反射させる役割を果たすことができる。
【０２３３】
第２のリフレクタ３００は、光学部材６００に面する表面上に鋸歯状の反射パターンを有することができ、反射パターンの表面は、平面または曲面でよい。
【０２３４】
このように第２のリフレクタ３００の表面に反射パターンを形成すると、光源モジュール１００から生成された光を均一に拡散及び反射させることができる。
【０２３５】
また、ブラケット４００は、光源モジュール１００を支持する役割を果たすことができ、ボディー部４１０、第１及び第２の締結部材４２０，４３０を有することができる。
【０２３６】
ここで、ブラケット４００の第１の締結部材４２０は第２のリフレクタ３００に締結し、ブラケット４００の第２の締結部材４３０はカバー部材５００に締結することができる。
【０２３７】
このように、実施例は、導光板を使用せず、一部の傾斜面を有するエアーガイド用のリフレクタ及びブラケットを形成することによって、軽量、低作製コスト、及び均一な輝度を提供することができる。
【０２３８】
したがって、照明ユニットの経済性及び信頼性が向上するとともに、広い室内空間に適したものとすることができる。
【０２３９】
また、以上の実施例に記載されたブラケット、第１及び第２のリフレクタ、光源モジュールを有するバックライトユニット、表示装置、指示装置、照明システムを具現することができ、例えば、照明システムとしてはランプ、街灯を含むことができる。
【０２４０】
図１８は、実施例に係る照明ユニットを有するディスプレイモジュールを示す図である。
【０２４１】
図１８に示すように、ディスプレイモジュール２０は、ディスプレイパネル８００及び照明ユニット７００を備えることができる。
【０２４２】
ディスプレイパネル８００は、均一なセルギャップが維持されるように互いに相対して貼り合わせられたカラーフィルタ基板８１０とＴＦＴ（Ｔｈｉｎ  Ｆｉｌｍ  Ｔｒａｎｓｉｓｔｏｒ）基板８２０とを有し、両基板８１０，８２０の間に液晶層（図示せず）が挟まる構成とすることができる。
【０２４３】
なお、ディスプレイパネル８００の上側及び下側にはそれぞれ、上部偏光板８３０及び下部偏光板８４０を配置することができ、具体的には、カラーフィルタ基板８１０の上面に上部偏光板８３０を配置し、ＴＦＴ基板８２０の下面に下部偏光板８４０を配置することができる。
【０２４４】
図示してはいないが、ディスプレイパネル８００の側面には、パネル８００を駆動するための駆動信号を生成するゲート及びデータ駆動部を設けることができる。
【０２４５】
図１９及び図２０は、実施例に係るディスプレイ装置を示す図である。
【０２４６】
図１９を参照すると、ディスプレイ装置１は、ディスプレイモジュール２０、ディスプレイモジュール２０を取り囲むフロントカバー３０及びバックカバー３５、バックカバー３５に設けられた駆動部５５、及び駆動部５５を覆う駆動部カバー４０で構成することができる。
【０２４７】
フロントカバー３０は、光を透過させる透明な材質の前面パネル（図示せず）を有することができ、前面パネルは、一定の間隔を置いてディスプレイモジュール２０を保護し、ディスプレイモジュール２０から放出する光を透過させて、ディスプレイモジュール２０で表示される映像が外部から見られるようにする。
【０２４８】
バックカバー３５は、フロントカバー３０と結合してディスプレイモジュール２０を保護することができる。
【０２４９】
バックカバー３５の一面には駆動部５５を配置することができる。
【０２５０】
駆動部５５は、駆動制御部５５ａ、メインボード５５ｂ、及び電源ボード５５ｃを有することができる。
【０２５１】
駆動制御部５５ａは、タイミングコントローラでよく、ディスプレイモジュール２０の各ドライバーＩＣの動作タイミングを調節する駆動部であり、メインボード５５ｂは、タイミングコントローラにＶシンク、Ｈシンク及びＲ，Ｇ，Ｂ解像度信号を伝達する駆動部であり、電源ボード５５ｃは、ディスプレイモジュール２０に電源を印加する駆動部である。
【０２５２】
駆動部５５は、バックカバー３５に設けられて駆動部カバー４０で覆われる構造とすることができる。
【０２５３】
バックカバー３５には複数の孔を開けてディスプレイモジュール２０と駆動部５５とが接続されるようにし、ディスプレイ装置１を支持するスタンド６０を備えることができる。
【０２５４】
一方、図２０に示すように、駆動部５５の駆動制御部５５ａはバックカバー３５に配設され、メインボード５５ｂ及び電源ボード５５ｃはスタンド６０に配設される構成にしてもよい。
【０２５５】
ここで、駆動部カバー４０は、バックカバー３５に設けられた駆動部５５のみを覆えばよい。
【０２５６】
実施例では、メインボード５５ｂと電源ボード５５ｃを別体として構成したが、一体の統合ボードにしてもよく、それに限定されない。
【０２５７】
他の実施例は、以上の実施例に記載されたブラケット、第１及び第２のリフレクタ、光源モジュールを有するバックライトユニット、表示装置、指示装置、照明システムとすることができ、例えば、照明システムとしてはランプ、街灯を含むことができる。
【０２５８】
以上では種々の実施例を挙げて本発明を説明してきたが、本発明の精神及び範囲を逸脱しない限度内で、種々の他の変形及び態様が可能であるということは、当該技術の分野における通常の知識を有する当業者にとっては明らかである。特に、本発明の詳細な説明、図面及び添付の請求項の範囲内で構成要素及び／またはその組み合わせの様々な変形及び修正が可能である。これら構成要素及び／またはその組み合わせの様々な変形及び修正に加えて、その他の利用が当業者には明らかである。
【図１】
2013122920.tif 000003
【図２】
2013122920.tif 000004
【図３Ａ】
2013122920.tif 000005
【図３Ｂ】
2013122920.tif 000006
【図４Ａ】
2013122920.tif 000007
【図４Ｂ】
2013122920.tif 000008
【図４Ｃ】
2013122920.tif 000009
【図５Ａ】
2013122920.tif 000010
【図５Ｂ】
2013122920.tif 000011
【図５Ｃ】
2013122920.tif 000012
【図６Ａ】
2013122920.tif 000013
【図６Ｂ】
2013122920.tif 000014
【図６Ｃ】
2013122920.tif 000015
【図７】
2013122920.tif 000016
【図８】
2013122920.tif 000017
【図９Ａ】
2013122920.tif 000018
【図９Ｂ】
2013122920.tif 000019
【図９Ｃ】
2013122920.tif 000020
【図１０Ａ】
2013122920.tif 000021
【図１０Ｂ】
2013122920.tif 000022
【図１１Ａ】
2013122920.tif 000023
【図１１Ｂ】
2013122920.tif 000024
【図１１Ｃ】
2013122920.tif 000025
【図１１Ｄ】
2013122920.tif 000026
【図１２】
2013122920.tif 000027
【図１３Ａ】
2013122920.tif 000028
【図１３Ｂ】
2013122920.tif 000029
【図１３Ｃ】
2013122920.tif 000030
【図１４Ａ】
2013122920.tif 000031
【図１４Ｂ】
2013122920.tif 000032
【図１４Ｃ】
2013122920.tif 000033
【図１４Ｄ】
2013122920.tif 000034
【図１５Ａ】
2013122920.tif 000035
【図１５Ｂ】
2013122920.tif 000036
【図１５Ｃ】
2013122920.tif 000037
【図１５Ｄ】
2013122920.tif 000038
【図１６】
2013122920.tif 000039
【図１７】
2013122920.tif 000040
【図１８】
2013122920.tif 000041
【図１９】
2013122920.tif 000042
【図２０】
2013122920.tif 000043